(57)【要約】      （修正有）【課題】既設のケーブルが存在する場合でも、配管内に敷設しやすい光ファイバケーブルを提供する。【解決手段】本光ファイバケーブル１００は、平行に配置された２本のテンションメンバ１１０１、１１０２と、２本のテンションメンバの間に１列に配置された９心以上の光ファイバ心線１２０１〜１２０Ｎと、光ファイバ心線とテンションメンバとを覆う幅が厚さの２倍以上であるほぼ楕円形の外被１３０とを備える。例えば、光ファイバ心線は１６心あり、２つの８心光ファイバテープコードで構成されており、外被の断面の外形は、厚さがほぼ６ｍｍ、幅がほぼ１４ｍｍである。【選択図】図１
0003166245.tif 000002
【実用新案登録請求の範囲】
【請求項１】
平行に配置された２本のテンションメンバと、
前記２本のテンションメンバの間に１列に配置された９心以上の光ファイバ心線と、
前記光ファイバ心線と前記テンションメンバとを覆い、幅が厚さの２倍以上であるほぼ楕円形の外被と、
を備える光ファイバケーブル。
【請求項２】
請求項１記載の光ファイバケーブルであって、
前記光ファイバ心線は１６心あり、２つの８心光ファイバテープコードで構成されている
ことを特徴とする光ファイバケーブル。
【請求項３】
請求項１または２記載の光ファイバケーブルであって、
前記外被の断面の外形は、厚さがほぼ６ｍｍ、幅がほぼ１４ｍｍである
ことを特徴とする光ファイバケーブル。
【考案の詳細な説明】
【技術分野】
【０００１】
本考案は、配管内に配線される光ファイバケーブルに関する。
【背景技術】
【０００２】
従来から多くの配管内に配線するための光ファイバケーブルが知られており、例えば特許文献１、２、３の光ファイバケーブルや特許文献４の図１に示した光ファイバケーブルがある。特許文献１、２、３の光ファイバケーブルでは、配管内に敷設しやすい形状として断面を円形としている。また、特許文献４の図１に示した光ファイバケーブルでは、光ファイバ心線の部分は、複数の単心の光ファイバ心線をより合わせた円形となっている。そして、光ファイバ心線を挟むように２本のテンションメンバが配置され、外被が光ファイバ心線とテンションメンバとを覆っている。
【先行技術文献】
【特許文献】
【０００３】
【特許文献１】実開平５−３０８１７号公報
【特許文献２】特開平１０−１９７７６５号公報
【特許文献３】特開２００９−１２８７１１号公報
【特許文献４】特開２００３−１６１８６７号公報
【考案の概要】
【考案が解決しようとする課題】
【０００４】
しかしながら、特許文献１のような断面円形の光ファイバケーブルを用いても、新しい光ファイバケーブルの敷設中に配管内に既に敷設されたケーブルに引っかかり、敷設できないなどの問題があった。なお、特許文献３の光ファイバケーブルはこのような課題を解決するために外被の摩擦抵抗を小さくした発明である。
【０００５】
本考案は、従来の光ファイバケーブルと同じ摩擦抵抗の外被であっても、既設のケーブルが存在する場合でも、配管内に敷設しやすい光ファイバケーブルを提供することを目的とする。
【課題を解決するための手段】
【０００６】
本考案の光ファイバケーブルは、平行に配置された２本のテンションメンバと、２本のテンションメンバの間に１列に配置された９心以上の光ファイバ心線と、光ファイバ心線とテンションメンバとを覆う幅が厚さの２倍以上であるほぼ楕円形の外被とを備える。なお、「幅」とは断面の最も長い部分の長さ、「厚さ」とは断面の最も短い部分の長さを意味する。また、「ほぼ楕円形」とは、角がないこと、あるいは円形を平らに変形した形状を意味する。
【０００７】
さらに具体的には、例えば、光ファイバ心線は１６心あり、２つの８心光ファイバテープコードで構成されており、外被の断面の外形は、厚さがほぼ６ｍｍ、幅がほぼ１４ｍｍとすればよい。なお、「ほぼ」とは、製造上の許容範囲を含む意味である。
【考案の効果】
【０００８】
本考案の光ファイバケーブルは外形が平らな形状であり、厚さ方向には曲がりやすいので柔軟である。したがって、本考案の光ファイバケーブルは、既設のケーブルの隙間を通り抜けやすく、既設のケーブルが存在する場合でも配管内に敷設しやすい。
【図面の簡単な説明】
【０００９】
【図１】実施例１の光ファイバケーブルの構成を示す図。
【図２】実施例２の光ファイバケーブルの構成を示す図。
【図３】実施例２の１６心光ファイバケーブルの敷設しやすさと、従来の丸型の１６心光ファイバケーブルの敷設しやすさとを比較する実験の配管形態を示す図。
【考案を実施するための形態】
【００１０】
以下、本考案の実施の形態について、詳細に説明する。なお、同じ機能を有する構成部には同じ番号を付し、重複説明を省略する。
【実施例１】
【００１１】
図１に実施例１の光ファイバケーブルの構成を示す。図１（Ａ）は光ファイバケーブルの外観を示す図、図１（Ｂ）はＡ−Ａ線での断面図である。光ファイバケーブル１００は、平行に配置された２本のテンションメンバ１１０１、１１０２と、テンションメンバ１１０１、１１０２の間に１列に配置された光ファイバ心線１２０１，…，１２０Ｎ（ただし、Ｎは９以上の整数）と、光ファイバ心線１２０１，…，１２０Ｎとテンションメンバ１１０１、１１０２とを覆う幅Ｗが厚さＴの２倍以上であるほぼ楕円形の外被１３０とを備える。「幅Ｗ」とは断面の最も長い部分の長さ、「厚さＴ」とは断面の最も短い部分の長さを意味する。また、「ほぼ楕円形」とは、角がないこと、あるいは円形を平らに変形した形状を意味する。
【００１２】
光ファイバ心線としては、コアのモードフィールド径が９．５μｍ、クラッドの直径が１２５μｍの石英のシングルモード光ファイバを、紫外線硬化樹脂で被覆した光ファイバ心線を用いればよい。また、光ファイバ心線１２０１，…，１２０Ｎは、複数心を紫外線硬化樹脂でテープ状にまとめた光ファイバテープによって構成すればよい。例えば、Ｎ＝１２の場合には、４心光ファイバテープを３つ並べた構成でもよいし、８心光ファイバテープと４心光ファイバテープを並べた構成でもよい。さらには、光ファイバ心線として、光ファイバテープをノンハロゲン難燃ポリエチレンなどで被覆した光ファイバテープコードを用いてもよい。テンションメンバ１１０１、１１０２には、ＦＲＰをポリエチレンで被覆したものを用いればよい。外被１３０には、ノンハロゲン難燃ポリエチレンを用いればよい。
【００１３】
光ファイバケーブル１００は、外形が平らな形状であり、厚さ方向には曲がりやすいので柔軟である。したがって、光ファイバケーブル１００は、既設のケーブルの隙間を通り抜けやすく、既設のケーブルが存在する場合でも配管内に敷設しやすい。
【実施例２】
【００１４】
実施例２では、より具体的な光ファイバケーブルについて説明する。図２に実施例２の光ファイバケーブルの構成を示す。図２（Ａ）は光ファイバケーブルの外観を示す図、図２（Ｂ）はＡ−Ａ線での断面図である。光ファイバケーブル２００は、平行に配置された２本のテンションメンバ１１０１、１１０２と、テンションメンバ１１０１、１１０２の間に１列に配置された光ファイバ心線２２０１，…，２２０１６と、光ファイバ心線２２０１，…，２２０１６とテンションメンバ１１０１、１１０２とを覆う幅Ｗが厚さＴの２倍以上であるほぼ楕円形の外被２３０とを備える。「幅Ｗ」とは断面の最も長い部分の長さ、「厚さＴ」とは断面の最も短い部分の長さを意味する。また、「ほぼ楕円形」とは、角がないこと、あるいは円形を平らに変形した形状を意味する。
【００１５】
また、光ファイバ心線２２０１，…，２２０１６は、コアのモードフィールド径が９．５μｍ、クラッドの直径が１２５μｍの石英のシングルモード光ファイバを、紫外線硬化樹脂で被覆した光ファイバ心線である。光ファイバ心線２２０１，…，２２０８と光ファイバ心線２２０９，…，２２０１６は、それぞれ紫外線硬化樹脂でテープ状にまとめられ、８心光ファイバテープ２２５１、２２５２を形成している。さらに、８心光ファイバテープ２２５１、２２５２は、それぞれ、ノンハロゲン難燃ポリエチレンで被覆され、光ファイバテープコード２２７１、２２７２を形成している。そして、光ファイバ心線２２０１，…，２２０１６が同一平面上に１列に並ぶように、光ファイバテープコード２２７１、２２７２が配置されている。
【００１６】
テンションメンバ１１０１、１１０２は、ＦＲＰをポリエチレンで被覆したものである。外被２３０は、ノンハロゲン難燃ポリエチレンであり、光ファイバテープコード２２７１、２２７２とテンションメンバ１１０１、１１０２を覆うことで、光ファイバ心線２２０１，…，２２０１６とテンションメンバ１１０１、１１０２とを覆っている。また、外被２３０には、切込み部２３５１、２３５２が形成されている。切込み部２３５１、２３５２は、光ファイバケーブル２００から光ファイバテープコード２２７１、２２７２を取り出すときに利用する。
【００１７】
光ファイバケーブル２００は、幅Ｗが１４ｍｍ、厚さＴが６ｍｍ、質量が０．１６ｋｇ／ｍ、許容張力が２２ｋｇｆ、許容曲げ半径が５５ｍｍである。従来のスロットロッドを用いた丸型の１６心の光ファイバケーブルは、直径が１１．５ｍｍ、質量が０．１ｋｇ／ｍ、許容張力が４０ｋｇｆ、許容曲げ半径が１６０ｍｍである。このことから、断面積は同程度、許容張力が小さい、許容曲げ半径が小さいという特徴があることが分かる。なお、既存のケーブルがある配管に光ファイバケーブルを敷設する際には、既存のケーブルを傷つけてしまわないようにするため、敷設時のケーブルの張力を大きくできない。したがって、許容張力が小さいことは実際には問題とならない。そして、柔軟であることと断面が平たいことから、光ファイバケーブル２００は既存のケーブルがある場合でも敷設しやすい。
【００１８】
［実験］
実施例２の１６心光ファイバケーブルの敷設しやすさと、上記の従来の丸型の１６心光ファイバケーブルの敷設しやすさとを比較する実験を行った。図３はこの実験の配管形態を示す図である。配管には、一般的に用いられている塩化ビニル製の直径２５ｍｍの配管を用いた。配管形態は、一般的なビルの配管曲がり方を考慮し、図３のＡ側から８ｍ、６ｍ、２ｍ、４ｍの直線の配管を曲率半径が約３００ｍｍの配管で直角に接続したものとした。また、敷設では配管内にあらかじめ通しておいた通線ひも（細いワイヤ）に光ファイバケーブルの先端を固定し、図３のＡ側から光ファイバケーブルを挿入し、Ｂ側まで引っ張った。
【００１９】
まず、既設のケーブルがない状態で光ファイバケーブル２００と従来の丸型光ファイバケーブルをそれぞれ敷設した。この実験では、どちらの光ファイバケーブルも問題なく敷設できた。次に、既設のケーブルが１本ある状態で比較した。既設の光ファイバケーブルとしては、光ドロップケーブルを用いた。光ドロップケーブルは電柱などからビルに光ファイバを引き込む際に用いられる心数の少ない光ファイバケーブルであり、具体的には、参考文献１（ドロップケーブル，古河電工［平成２２年１２月１日検索］、インターネット<URL: http://www.furukawa.co.jp/optcom/optcable/pdf/drop.pdf>.）や参考文献２（FTTH向け架空光ドロップケーブル，三菱電線工業時報，2003年4月，［平成２２年１２月１日検索］、インターネット<URL: http://www.mitsubishi-cable.co.jp/jihou/pdf/100/t5.pdf>.）などに示されている。この実験でも、それぞれの光ファイバケーブルに対して敷設実験を行った。
【００２０】
光ファイバケーブル２００の場合は、すべての実験で配管の曲線部分での抵抗感もなく、既設のケーブルに引っかかることもなく敷設できた。一方、従来の丸型光ファイバケーブルの場合は、すべての実験で配管の曲線部分での抵抗感があり、既設のケーブルがずれる（移動する）事象が発生した。この事象は、既設のケーブルに負荷が加わっていることを示しており、既設のケーブルの損傷や切断の原因となる事象である。このように、光ファイバケーブル２００は、従来の丸型光ファイバケーブルと比較し、既設のケーブルがある場合でも配管内に敷設しやすいことが分かる。
【符号の説明】
【００２１】
１００、２００  光ファイバケーブル
１３０、２３０  外被
１１０  テンションメンバ
１２０、２２０  光ファイバ心線
２２５  心光ファイバテープ
２２７  光ファイバテープコード
２３５  切込み部
【図１】
0003166245.tif 000003
【図２】
0003166245.tif 000004
【図３】
0003166245.tif 000005